【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
第１インクを記録媒体に付与する記録工程と、
第２インクを、前記第１インクを付与した領域の少なくとも一部に重なるように前記記録媒体に付与する記録工程と、を有するインクジェット記録方法であって、
前記第１インクが、銀粒子を含有する水性インクであり、
前記第２インクが、アニオン性染料を含有する水性インクであり、
前記記録媒体が、多価金属塩、及びカチオン性樹脂の塩からなる群より選択される少なくとも１種のカチオン性化合物を含有するインク受容層を有し、
前記インク受容層の単位面積あたりの前記カチオン性化合物の含有量（ｇ／ｍ２）が、０．２０ｇ／ｍ２以上であることを特徴とするインクジェット記録方法。
【請求項２】
前記多価金属塩が、（ｉ）鉄、アルミニウム、及びジルコニウムからなる群より選択される少なくとも１種の多価金属のイオンと、酢酸イオン、塩化物イオン、及び硫酸イオンからなる群より選択される少なくとも１種の陰イオンとの塩、並びに、（ｉｉ）ポリ塩化アルミニウム、からなる群より選択される少なくとも１種である請求項１に記載のインクジェット記録方法。
【請求項３】
前記カチオン性樹脂の塩が、１級乃至４級アミン構造を有する樹脂の硝酸塩、１級乃至４級アミン構造を有する樹脂の硫酸塩、及び下記一般式（１）で表される基を有するカチオン性化合物からなる群より選択される少なくとも１種である請求項１又は２に記載のインクジェット記録方法。
【化１】
2018192787.tif 000001
（一般式（１）中、Ｒ１は、水素原子、又は炭素数１以上３０以下のアルキル基であり、Ｒ２、Ｒ３、Ｒ４、及びＲ５は、それぞれ独立に炭素数１以上６以下のアルキル基である。）
【請求項４】
前記多価金属塩が、（ｉ）鉄、アルミニウム、及びジルコニウムからなる群より選択される少なくとも１種の多価金属のイオンと、酢酸イオン、塩化物イオン、及び硫酸イオンからなる群より選択される少なくとも１種の陰イオンとの塩、並びに、（ｉｉ）ポリ塩化アルミニウム、からなる群より選択される少なくとも１種であり、
前記カチオン性樹脂の塩が、１級乃至４級アミン構造を有する樹脂の硝酸塩、及び１級乃至４級アミン構造を有する樹脂の硫酸塩からなる群より選択される少なくとも１種である請求項１乃至３のいずれか１項に記載のインクジェット記録方法。
【請求項５】
前記多価金属塩が、塩化アルミニウム、硫酸アルミニウム、硫酸鉄（ＩＩ）、及びポリ塩化ポリアルミニウムからなる群より選択される少なくとも１種であり、
前記カチオン性樹脂の塩が、ポリアリルアミン硝酸塩である請求項１乃至３のいずれか１項に記載のインクジェット記録方法。
【請求項６】
前記インク受容層の単位面積あたりの前記カチオン性化合物の含有量（ｇ／ｍ２）が、５．００ｇ／ｍ２以下である請求項１乃至５のいずれか１項に記載のインクジェット記録方法。
【請求項７】
前記銀粒子の体積基準の累積５０％粒径（ｎｍ）が、１５０ｎｍ以下である請求項１乃至６のいずれか１項に記載のインクジェット記録方法。
【請求項８】
前記銀粒子の体積基準の累積５０％粒径（ｎｍ）が、１ｎｍ以上である請求項１乃至７のいずれか１項に記載のインクジェット記録方法。
【請求項９】
前記インク受容層が、塩化物イオン、並びに、塩化物イオンの捕捉剤、及び有機系の酸化防止剤からなる群より選択される少なくとも１種を含有する請求項１乃至８のいずれか１項に記載のインクジェット記録方法。
【請求項１０】
前記塩化物イオンの捕捉剤が、１，２，３−ベンゾトリアゾール誘導体又はその誘導体であり、前記有機系の酸防剤が、アスコルビン酸又はその塩である請求項９に記載のインクジェット記録方法。
【請求項１１】
前記インク受容層が、下記の条件（１）及び（２）の少なくとも一方を満たす請求項９又は１０に記載のインクジェット記録方法。
条件（１）  前記インク受容層の単位面積あたりの前記塩化物イオンの捕捉剤の含有量（ｇ／ｍ２）が、０．０２ｇ／ｍ２以上０．１５ｇ／ｍ２以下である。
条件（２）  前記インク受容層の単位面積あたりの前記有機系の酸化防止剤の含有量（ｇ／ｍ２）が、０．０５ｇ／ｍ２以上０．２５ｇ／ｍ２以下である。
【請求項１２】
前記インク受容層が、ポリビニルアルコール又はその誘導体、及び架橋剤を含有し、
前記インク受容層中の前記架橋剤の含有量が、前記ポリビニルアルコール又はその誘導体の含有量に対して、０．４０当量以上１．００当量以下である請求項１乃至１１のいずれか１項に記載のインクジェット記録方法。
【請求項１３】
前記架橋剤が、ホウ酸又はその塩である請求項１２のいずれか１項に記載のインクジェット記録方法。
【請求項１４】
前記記録媒体の紙面ｐＨが、６．０以下である請求項１乃至１３のいずれか１項に記載のインクジェット記録方法。
【請求項１５】
前記インク受容層の単位面積あたりの前記カチオン性化合物の含有量（ｇ／ｍ２）が、０．７０ｇ／ｍ２以上である請求項１乃至１４のいずれか１項に記載のインクジェット記録方法。
【請求項１６】
前記第１インク中の前記銀粒子の含有量（質量％）が、インク全質量を基準として、２．０質量％以上１５．０質量％である請求項１乃至１５のいずれか１項に記載のインクジェット記録方法。
【請求項１７】
前記第２インク中の前記アニオン性染料の含有量（質量％）が、インク全質量を基準として、１．０質量％以上１０．０質量％である請求項１乃至１６のいずれか１項に記載のインクジェット記録方法。
【請求項１８】
第１インクを記録媒体に付与した後に、第２インクを前記記録媒体に付与する手段を備えたインクジェット記録装置であって、
前記第１インクが、銀粒子を含有する水性インクであり、
前記第２インクが、アニオン性染料を含有する水性インクであり、
前記記録媒体が、多価金属塩、及びカチオン性樹脂の塩からなる群より選択される少なくとも１種のカチオン性化合物を含有するインク受容層を有し、
前記インク受容層の単位面積あたりの前記カチオン性化合物の含有量（ｇ／ｍ２）が、０．２０ｇ／ｍ２以上であることを特徴とするインクジェット記録装置。
【手続補正２】
【補正対象書類名】明細書
【補正対象項目名】０００６
【補正方法】変更
【補正の内容】
【０００６】
上記の目的は、以下の本発明によって達成される。すなわち、本発明は、第１インクを記録媒体に付与する記録工程と、第２インクを、前記第１インクを付与した領域の少なくとも一部に重なるように前記記録媒体に付与する記録工程と、を有するインクジェット記録方法であって、前記第１インクが、銀粒子を含有する水性インクであり、前記第２インクが、アニオン性染料を含有する水性インクであり、前記記録媒体が、多価金属塩、及びカチオン性樹脂の塩からなる群より選択される少なくとも１種のカチオン性化合物を含有するインク受容層を有し、前記インク受容層の単位面積あたりの前記カチオン性化合物の含有量（ｇ／ｍ２）が、０．２０ｇ／ｍ２以上であることを特徴とするインクジェット記録方法に関する。
【手続補正３】
【補正対象書類名】明細書
【補正対象項目名】００８３
【補正方法】変更
【補正の内容】
【００８３】
１級乃至４級アミン構造を有する樹脂の硝酸塩としては、ポリアリルアミン硝酸塩などが挙げられる。１級乃至４級アミン構造を有する樹脂の硫酸塩としては、ジシアンジアミド／ジエチレントリアミン樹脂の硫酸塩などが挙げられる。一般式（１）で表される基を有するカチオン性化合物は、「ヒンダードアミン」として市販されており、例えば、アデカスタブＬＡ−６３Ｐ、ＬＡ−６８（ＡＤＥＫＡ製）などが挙げられる。なかでもカチオン性樹脂の塩は、ポリアリルアミン硝酸塩、及びアデカスタブＬＡ−６３Ｐからなる群より選択される少なくとも１種であることが好ましい。